(57)【要約】【課題】  内気と外気との混合を従来より促進可能な空調機室構造を提供する。【解決手段】  内気案内部２１及び外気案内部２２により第１混気室１５Ａ内で内気ＲＡ及び外気ＯＡを旋回させて旋回流を発生させる。したがって、内気ＲＡと外気ＯＡとの混合を従来より促進することが可能となる。【選択図】  図３
2018155446.tif 000002
【特許請求の範囲】
【請求項１】
空調機が設置される空調機室の構造において、
建物の室内と連通した内気口から吹き出す内気を予め決められた第１向きに案内する内気案内部と、
建物外と連通した外気口から吹き出す外気を予め決められた第２向きに案内する外気案内部であって、前記内気案内部と協働して内気及び外気を旋回させて旋回流を発生させる外気案内部と
を備える空調機室構造。
【請求項２】
前記内気口と前記外気口とは、空間を隔てて対向しており、
前記内気案内部及び前記外気案内部は、少なくとも水平方向の旋回成分速度を有する旋回流を発生させるように構成されている請求項１に記載の空調機室構造。
【請求項３】
前記内気案内部側から前記外気案内部側に向かう水平方向と第１方向とし、当該第１水平方向と直交する水平方向を第２水平方向としたとき、
前記内気案内部と前記外気案内部との前記第１水平方向の距離を第１水平距離とし、前記空間の前記第２水平方向の距離を第２水平距離としたとき、
前記第１水平距離と前記第２水平距離と差は、予め決められた寸法以下である請求項１又は２に記載の空調機室構造。
【請求項４】
前記内気案内部を第１内気案内部とし、前記外気案内部を第１外気案内部としたとき
前記内気口から吹き出す内気を予め決められた第３向きに案内する第２内気案内部と、
前記外気を予め決められた第４向きに案内する第２外気案内部であって、前記第２内気案内部と協働して鉛直方向の旋回成分速度を有する旋回流を発生させる第２外気案内部と
を備える請求項１ないし３のいずれか１項に記載の空調機室構造。
【発明の詳細な説明】
【技術分野】
【０００１】
本願は、建物空間の空調を行う空調機が設置される空調機室の構造に関する。
【背景技術】
【０００２】
例えば、特許文献１に記載の発明は混気運転モードが実行可能である。混気運転モードは、室内空気と室外空気とを混合して空調機の消費動力の低減を図る運転モードである。当該文献の空調機室には、略Ｌ字状に構成された仕切部材が設けられている。
【０００３】
室内空気を導入する内気導入部は仕切部材より上方側に設けられている。室外空気を導入する外気導入部は仕切部材の下端より下方側に設けられている。つまり、特許文献１に記載の空調機室構造では、室内空気と室外空気とが仕切部材の下端より下方側の空間にて混合される。
【先行技術文献】
【特許文献】
【０００４】
【特許文献１】特開平７−１６７４６０号公報
【発明の概要】
【発明が解決しようとする課題】
【０００５】
特許文献１に記載の空調機室構造では、外気導入部は仕切部材の下端より下方側に設けられているので、室内空気と室外空気とが十分に混合される前に空調機に吸引されてしまう可能性が高い。
【０００６】
なお、室内空気（以下、内気という。）は、室外空気（以下、外気という。）より温度が高いので、内気と外気との混合が不十分であると、空調機から建物空間（以下、室内という。）に供給される空気の温度分布が不均一となる。
【０００７】
本願は、上記点に鑑み、内気と外気との混合を従来より促進可能な空調機室構造を提供する。
【課題を解決するための手段】
【０００８】
空調機（１）が設置される空調機室には、建物の室内（ＳＲ）と連通した内気口（１３Ａ）から吹き出す内気（ＲＡ）を予め決められた第１向きに案内する内気案内部（２１）と、建物外と連通した外気口（１４Ａ）から吹き出す外気（ＯＡ）を予め決められた第２向きに案内する外気案内部（２２）であって、内気案内部（２１）と協働して内気（ＲＡ）及び外気（ＯＡ）を旋回させて旋回流を発生させる外気案内部（２２）とを備えられている。
【０００９】
これにより、空調機室は、内気（ＲＡ）と外気（ＯＡ）とを混合するための混気室として機能する。そして、当該混気室、つまり空調機室には、内気（ＲＡ）及び外気（ＯＡ）を旋回させて旋回流を発生させる内気案内部（２１）及び外気案内部（２２）が設けられているので、内気（ＲＡ）と外気（ＯＡ）との混合を従来より促進することが可能となる。
【００１０】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【００１１】
【図１】本発明の第１実施形態に係る空調機室の構造を示す図である。
【図２】本発明の第１実施形態に係る第１混気促進部材１０の斜視図である。
【図３】本発明の第１実施形態に係る第２混気促進部材２０の平面図である。
【図４】本発明の第２実施形態に係る第２混気促進部材２０を示す図である。
【図５】本発明の第３実施形態に係る空調機室の構造を示す図である。
【図６】本発明の第４実施形態に係る空調機室の構造を示す図である。
【図７】本発明の第５実施形態に係る空調機室の構造を示す図である。
【発明を実施するための形態】
【００１２】
以下に説明する「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１３】
以下、本発明の実施形態を図面と共に説明する。なお、各図に付された方向を示す矢印等は、各図相互の関係を理解し易くするために記載したものである。本発明は、各図に付された方向に限定されるものではない。
【００１４】
少なくとも符号を付して説明した部材又は部位は、「１つの」等の断りをした場合を除き、少なくとも１つ設けられている。つまり、当該部材が２以上設けられていてもよい。
（第１実施形態）
１．空調システムの概要
本実施形態は、図１に示すデータセンター用の機械室ＭＲの構造に本発明を適用したものである。データセンターには、複数の情報通信技術用機器（以下、ＩＣＴ機器と記す。）が設置されたサーバ室ＳＲが設けられている。
【００１５】
機械室ＭＲには空調機１が少なくとも１台設置されている。空調機１は、サーバ室ＳＲに冷風等の空調風を供給することにより、サーバ室ＳＲ内の空気（以下、内気ＲＡという。）の温度及び湿度等を予め決められた所定範囲に維持する。
【００１６】
すなわち、サーバ室ＳＲには、複数のＩＣＴ装置（図示せず。）が設置されている。複数のＩＣＴ装置は稼働時に発熱する。空調システムは、夏場等の外気温度が高い季節には、全還気運転モードを実行する。全還気運転モードでは、内気ＲＡが空調機１にて冷却され、その冷却された空気が供給空気ＳＡとしてサーバ室ＳＲに供給される。
【００１７】
空調システムは、春や秋等の夏場に比べて外気温度が低い季節においては、混気運転モードを実行する。混気運転モードでは、建物外から導入された空気（以下、外気ＯＡという。）と内気ＲＡとが混合されて供給空気ＳＡの温度が調整される。これにより、空調機１の冷却負荷、つまり消費動力（消費エネルギ）が低減される。
【００１８】
空調機１の筐体内には、少なくとも冷却用熱交換器（図示せず。）及び送風機（図示せず。）等が収納されている。略六面体状の筐体のうちサーバ室ＳＲ側の面には吹出口１Ａが設けられている。
【００１９】
筐体のうち吹出口１Ａと異なる面には吸気口１Ｂが設けられている。吹出口１Ａは供給空気ＳＡが吹き出す開口である。吸気口１Ｂはサーバ室ＳＲに供給するための空気が吸引される開口である。
【００２０】
２．機械室（空調機室）の構造（図１参照）
２．１  混気室
本実施形態に係る機械室ＭＲは、「内気ＲＡと外気ＯＡとを混合するための混気室」としても機能する。つまり、混気運転モード時には、機械室ＭＲ内に内気ＲＡ及び外気ＯＡが導入される。
【００２１】
空調機１は、機械室ＭＲ内の空気を吸引するため、機械室ＭＲ内に気流が発生する。このため、機械室ＭＲ内に導入された内気ＲＡ及び外気ＯＡは、空調機１に吸引される経路途中において混合される。
【００２２】
２．２  混気促進構造
機械室ＭＲには、図１に示すように、第１混気促進部材１０及び第２混気促進部材２０が設けられている。第１混気促進部材１０及び第２混気促進部材２０は、内気ＲＡと外気ＯＡとの混合を促進するものである。
【００２３】
＜第１混気促進部材＞
第１混気促進部材１０は、第１仕切部材１１及び第２仕切部材１２等を少なくとも備える。
【００２４】
第１仕切部材１１は、空調機１の吸気口１Ｂより上方側に設けられた板状部材である。当該第１仕切部材１１は、吸気口１Ｂより上方側において、略水平方向に拡がることにより、機械室ＭＲに導入された内気ＲＡ及び外気ＯＡが上下方向に流通することを阻害する邪魔板として機能する。
【００２５】
内気導入部１３は、少なくとも内気口１３Ａを有する。内気口１３Ａは、サーバ室ＳＲと連通した導入口であって、第１仕切部材１１より上方側で開口して機械室ＭＲに内気ＲＡを導入するための導入口である。
【００２６】
本実施形態に係る内気導入部１３には、ダンパー（図示せず。）及びフィルタ１３Ｂが設けられている。ダンパーは、機械室ＭＲ内に導入する内気ＲＡの風量を調節するための可変絞りである。フィルタ１３Ｂは、導入される内気ＲＡ中の塵埃等を捕捉除去する。
【００２７】
外気導入部１４は、少なくとも外気口１４Ａを有する。外気口１４Ａは、建物外と連通するとともに、空間１５Ａ（以下、第１混気室１５Ａという。）を隔てて内気口１３Ａと対向した「外気ＯＡの導入口」である。
【００２８】
「内気口１３Ａと外気口１４Ａとが第１混気室１５Ａを隔てて対向している」とは、「内気口１３Ａ及び外気口１４Ａの配置関係が、内気口１３Ａから吹き出す内気ＲＡと外気口１４Ａから吹き出す外気ＯＡとが第１混気室１５Ａで衝突し得る配置関係」にあることをいう。
【００２９】
したがって、例えば、内気口１３Ａの中心軸線と外気口１４Ａの中心軸線とが、水平方向及び鉛直方向にずれた配置関係であっても、内気口１３Ａから吹き出す内気ＲＡと外気口１４Ａから吹き出す外気ＯＡとが第１混気室１５Ａで衝突し得る配置関係であれば、「内気口１３Ａと外気口１４Ａとが第１混気室１５Ａを隔てて対向している」となる。
【００３０】
なお、「内気口１３Ａの中心軸線」とは、内気口１３Ａから吹き出す内気ＲＡの主流方向である。具体的には、当該中心軸線は、内気口１３Ａの外縁が描く図形の図心を通り、かつ、当該図形と直交する仮想線と一致する。
【００３１】
「外気口１４Ａの中心軸線」とは、外気口１４Ａから吹き出す外気ＯＡの主流方向である。具体的には、当該中心軸線は、外気口１４Ａの外縁が描く図形の図心を通り、かつ、当該図形と直交する仮想線である。
【００３２】
外気導入部１４には、ダンパー（図示せず。）及びフィルタ１４Ｂが設けられている。ダンパーは、機械室ＭＲ内に導入する外気ＯＡの風量を調節するための可変絞りである。フィルタ１４Ｂは、導入される外気ＯＡ中の塵埃等を捕捉除去する。
【００３３】
外気口１４Ａは、外気側端部１１Ａに対して内気口１３Ａ側にずれた位置、又は外気側端部１１Ａの直上に位置している。なお、外気側端部１１Ａは、第１仕切部材１１のうち外気口１４Ａ側の端部である。
【００３４】
本実施形態に係る外気口１４Ａは、外気側端部１１Ａに対して内気口１３Ａ側にずれた位置にある。外気ダクト１４Ｃは、外気口１４Ａまで外気ＯＡを導くダクトである。そして、本実施形態に係る空調機１の吸気口１Ｂは、外気側端部１１Ａ側に開口した構成となる。
【００３５】
第２仕切部材１２は、第１仕切部材１１の外気側端部１１Ａ側から下方側に向けて延びる板状部材である。第２仕切部材１２は、外気側端部１１Ａ側から鉛直方向に拡がることにより、機械室ＭＲに導入された内気ＲＡ及び外気ＯＡが吸気口１Ｂに直線的に流入することを阻害する邪魔板として機能する。
【００３６】
本実施形態に係る第１混気促進部材１０は、図２に示すように、一対の第３仕切部材１６Ａ、１６Ｂを有する。一対の第３仕切部材１６Ａ、１６Ｂは、第１仕切部材１１の板面及び第２仕切部材１２の板面と略直交する板面を有する。
【００３７】
つまり、第１混気促進部材１０は、吸気口１Ｂ側及び下方側のみが開放された覆い部材を構成する。このため、第１混気促進部材１０の周囲に存在する空気が、第２仕切部材１２の下端より上方側から吸気口１Ｂに流れ込むことが規制される。
【００３８】
換言すれば、第１混気促進部材１０の周囲に存在する空気は、第１混気促進部材１０の下方側から当該第１混気促進部材１０に流入した後、空調機１に吸い込まれる。
本実施形態に係る第１混気促進部材１０は、空調機１の筐体に支持されている。具体的には、第１混気促進部材１０は、空調機１の筐体にネジ等の機械的締結具により着脱自在に装着されている。
【００３９】
＜第２混気促進部材＞
第２混気促進部材２０は、内気ＲＡ及び外気ＯＡを旋回させて旋回流を発生させることにより混気を促進するものである。第２混気促進部材２０は、図３に示すように、内気案内部２１及び外気案内部２２等を少なくとも備える。
【００４０】
内気案内部２１は、内気口１３Ａから第１混気室１５Ａに向けて吹き出す内気ＲＡを予め決められた第１向きに案内する。具体的には、内気案内部２１は、複数本のルーバ２１Ａを有して構成されている。各ルーバ２１Ａは、内気口１３Ａの出口側において、鉛直方向に延びる帯板状の部材である。
【００４１】
外気案内部２２は、外気口１４Ａから第１混気室１５Ａに向けて吹き出す外気ＯＡを予め決められた第２向きに案内する。第１向き及び第２向きとは、第１混気室１５Ａに吹き出された内気ＲＡ及び外気ＯＡが旋回して旋回流となる向きである。
【００４２】
つまり、内気案内部２１と外気案内部２２とは互いに協働して第１混気室１５Ａに旋回流を発生させる。外気案内部２２は、複数本のルーバ２２Ａを有して構成されている。各ルーバ２２Ａは、外気口１４Ａの出口側において、鉛直方向に延びる帯板状の部材である。
【００４３】
このため、第１混気室１５Ａには、少なくとも水平方向の旋回成分速度を有する旋回流が発生する。つまり、第１混気室１５Ａで発生する旋回流を示す速度ベクトルの水平成分は旋回状態となる（図３参照）。
【００４４】
第１混気室１５Ａは、図３に示すように、第１水平距離Ｌ１と第２水平距離Ｗ１と差、及び第１水平距離Ｌ２と第２水平距離Ｗ２と差それぞれが、予め決められた所定寸法以下となるように構成されている。
【００４５】
すなわち、本実施形態では、第１水平距離Ｌ１と第２水平距離Ｗ１と差が所定寸法以下となるように、第１混気室１５Ａが少なくとも１つの第４仕切部材２３により複数の空間に仕切られている。
【００４６】
換言すれば、本実施形態では、第１混気室１５Ａが少なくとも２つ存在し、かつ、各第１混気室１５Ａの第１水平距離Ｌ１、Ｌ２と第２水平距離Ｗ１、Ｗ２と差が所定寸法以下となっている。
【００４７】
第１水平距離Ｌ１、Ｌ２は、内気案内部２１側から外気案内部２２側に向かう水平方向と第１方向とした場合において、内気案内部２１と外気案内部２２との第１水平方向の距離をいう。
【００４８】
第２水平距離Ｗ１、Ｗ２とは、第１水平方向と直交する水平方向を第２水平方向とした場合において、各第１混気室１５Ａ関する第２水平方向の距離をいう。なお、本実施形態では、Ｌ１≒Ｌ２≒Ｗ１≒Ｗ２である。
【００４９】
本実施形態では、空調機１の吸気口１Ｂに設けられた吸気用ファン（図示せず。）は、軸流ファンである。当該軸流ファンは、第１混気室１５Ａで発生する旋回流の旋回の向きと逆向きに回転する。
【００５０】
具体的には、軸流ファンを吸い込み側から見たときの当該軸流ファンの回転の向きが、第１混気室１５Ａで発生する旋回流を上方側から見たときの旋回の向きと反対向きとなるように、内気案内部２１、外気案内部２２及び当該軸流ファンが構成されている。
【００５１】
３．機械室（空調機室）構造の特徴
内気口１３Ａと外気口１４Ａとが第１混気室１５Ａを隔てて対向している。これにより、内気ＲＡと外気ＯＡとは、内気口１３Ａと外気口１４Ａの間に存在する空間１５Ａ、つまり第１混気室１５Ａにて衝突するので、内気ＲＡと外気ＯＡと混合が促進され得る。
【００５２】
外気口１４Ａは、外気側端部１１Ａに対して内気口１３Ａ側にずれた位置している。これにより、第１混気室１５Ａにて衝突・混合した内気ＲＡと外気ＯＡとは、図１に示すように、その流通方向が外気側端部１１Ａで屈曲するように蛇行する。したがって、内気と外気とが衝突する箇所から空調機１の吸気口１Ｂに至る流路長を長くでき得る。
【００５３】
つまり、第１混気室１５Ａにて衝突・混合した空気（以下、混合気という。）は、外気側端部１１Ａ側に流通し、外気側端部１１Ａにて下向き流通方向が転向する。そして、混合気は、第２仕切部材１２と機械室ＭＲの内壁とで囲まれた空間１５Ｂ（以下、第２混気室１５Ｂという。）にて混合が進行しながら、第２混気室１５Ｂ内を第２仕切部材１２の下端側に向けて流通する。
【００５４】
その後、混合気は、第２仕切部材１２の下端から第１混気促進部材１０内に流入し、吸気口１Ｂから空調機１に吸引された後、当該空調機１からサーバ室ＳＲに向けて送風される。したがって、第１混気室１５Ａから第２混気室１５Ｂを経由して吸気口１Ｂに至る経路にておいて、内気ＲＡと外気ＯＡとの混合が促進される。
【００５５】
第１仕切部材１１の外気側端部１１Ａ側には、当該第１仕切部材１１から下方側に向けて延びる第２仕切部材１２が設けられている。これにより、内気ＲＡと外気ＯＡとが第１混気室１５Ａから第２混気室１５Ｂを経て空調機１の吸気口１Ｂに至る流路長を更に長くすることが可能となる。したがって、内気ＲＡと外気ＯＡとの混合を更に促進することが可能となる。
【００５６】
第１混気促進部材１０は、空調機１の筐体に支持されている。これにより、第１混気促進部材１０が建物に据え付けられた構造に比べて、容易に第１混気促進部材１０を据え付けることが可能となる。
【００５７】
すなわち、第１混気促進部材１０が建物に据え付けられた構造であると、施工時に建物構造の影響を受ける。これに対して、本実施形態では、第１混気促進部材１０が空調機１に支持されているので、施工時に建物構造の影響を殆ど受けず、容易に施工を行うことができ得る。
【００５８】
第１混気促進部材１０は、空調機１に着脱自在に装着されている。これにより、空調機１のメンテナンス時に第１混気促進部材１０等を取り外すことができるので、メンテナンス性が大きく低下することを抑制できる。
【００５９】
第１混気促進部材１０には、第２仕切部材１２の下端より上方側から空気が吸気口１Ｂに流れ込むことを規制する第３仕切部材１６Ａ、１６Ｂが設けられている。
これにより、内気ＲＡと外気ＯＡとが衝突する箇所から空調機１の吸気口１Ｂに至る流路長を更に長くすることが可能となるので、内気ＲＡと外気ＯＡとの混合を更に促進することが可能となる。
【００６０】
内気案内部２１及び外気案内部２２により第１混気室１５Ａ内で内気ＲＡ及び外気ＯＡを旋回させて旋回流を発生させる。したがって、内気ＲＡと外気ＯＡとの混合を従来より促進することが可能となる。
【００６１】
第１水平距離Ｌ１、Ｌ２と第２水平距離Ｗ１、Ｗ２と差が所定寸法以下となっている。これにより、確実に旋回流を発生させることができるので、内気ＲＡと外気ＯＡとの混合を確実に促進でき得る。
【００６２】
（第２実施形態）
本実施形態は、図４に示すように、第２内気案内部２４及び第２外気案内部２５が設けられている。第２内気案内部２４及び第２外気案内部２５は、各第１混気室１５Ａにおいて、鉛直方向の旋回成分速度を有する旋回流を発生させるための部材である。
【００６３】
つまり、本実施形態では、内気案内部２１（第１内気案内部２１ともいう。）及び外気案内部２２（以下を第１外気案内部２２ともいう。）により、水平方向の旋回成分速度を有する旋回流を発生させるととともに、第２内気案内部２４及び第２外気案内部２５は、鉛直方向の旋回成分速度を有する旋回流を発生させる。これにより、内気ＲＡと外気ＯＡとの混合を確実に促進でき得る。
【００６４】
なお、第２内気案内部２４は、複数本のルーバ２４Ａを有して構成されている。各ルーバ２１Ａは、内気口１３Ａの出口側において、水平方向に延びて内気ＲＡを第３向きに案内する帯板状の部材である。
【００６５】
第２外気案内部２５は、複数本のルーバ２５Ａを有して構成されている。各ルーバ２１Ａは、外気口１４Ａの出口側において、水平方向に延びて外気ＯＡを第４向きに案内する帯板状の部材である。
【００６６】
第３向き及び第４向きとは、第１混気室１５Ａに吹き出された内気ＲＡ及び外気ＯＡが旋回して旋回流となる向きである。なお、上述の実施形態と同一の構成要件等は、上述の実施形態と同一の符号を付したので、重複する説明は省略する。
【００６７】
（第３実施形態）
本実施形態は、図５に示すように、内気口１３Ａが内気側端部１１Ｂに対して外気口１４Ａ側にずれた位置、又は内気側端部１１Ｂの直上に位置している。なお、図５は、内気口１３Ａが内気側端部１１Ｂに対して外気口１４Ａ側にずれた位置にある例を示している。
【００６８】
内気側端部１１Ｂとは、第１仕切部材１１のうち内気口１３Ａ側の端部をいう。内気ダクト１３Ｃは、内気ＲＡを内気口１３Ａに導くダクトである。なお、上述の実施形態と同一の構成要件等は、上述の実施形態と同一の符号を付したので、重複する説明は省略する。
【００６９】
これにより、内気ＲＡと外気ＯＡとを第１混気室１５Ａにて確実に衝突させることが可能となるので、内気ＲＡと外気ＯＡと混合が更に促進され得る。
（第４実施形態）
本実施形態は、図６に示すように、機械室ＭＲのうち空調機１より上方側に、仕切部材３０を設けたものである。仕切部材３０は、外気口１４Ａから内気口１３Ａ側に延びて天井と協働してダクトを構成する。
【００７０】
そして、仕切部材３０は、外気口１４Ａから導入された外気ＯＡが第１混気室１５Ａを経由することなく第２混気室１５Ｂ側に流通することを抑制する。
これにより、内気口１３Ａから導入された内気ＲＡと外気口１４Ａから導入された外気ＯＡとを確実に第１混気室１５Ａにて衝突・混合させた後、当該混合気を第２混気室１５Ｂに導くことができる。
【００７１】
なお、上述の実施形態と同一の構成要件等は、上述の実施形態と同一の符号を付したので、重複する説明は省略する。
（第５実施形態）
上述の実施形態に係る外気口１４Ａは、外気側端部１１Ａに対して内気口１３Ａ側に設けられていた。しかし、本実施形態では、図７に示すように、外気側端部１１Ａに対して内気口１３Ａと反対側に外気口１４Ａが位置した構成である。
【００７２】
なお、上述の実施形態と同一の構成要件等は、上述の実施形態と同一の符号を付したので、重複する説明は省略する。
（その他の実施形態）
上述の実施形態に係る旋回流は、少なくとも水平方向の旋回成分速度を有する旋回流であった。しかし、本願明細書に開示された発明はこれに限定されるものではない。すなわち、例えば、少なくとも鉛直方向の旋回成分速度を有する旋回流を発生させる構成であってもよい。
【００７３】
上述の実施形態に係る第１混気促進部材１０は、第２仕切部材１２及び第３仕切部材１６Ａ、１６Ｂを有していた。しかし、本願明細書に開示された発明はこれに限定されるものではない。すなわち、例えば、第２仕切部材１２及び第３仕切部材１６Ａ、１６Ｂのうちいずれかを有していない第１混気促進部材１０であってもよい。
【００７４】
上述の実施形態に係る第１混気促進部材１０は、空調機１の筐体にネジ等の機械的締結具にて着脱自在に装着されていた。しかし、本願明細書に開示された発明はこれに限定されるものではない。すなわち、例えば、第１混気促進部材１０が機械室ＭＲの壁又は天井に装着された構成、又は第１混気促進部材１０が筐体に着脱不可状態で装着された構成であってもよい。
【００７５】
上述の実施形態では、内気口１３Ａと外気口１４Ａとが第１混気室１５Ａを隔てて対向し、かつ、外気口１４Ａは、外気側端部１１Ａに対して内気口１３Ａ側に設けられていた。しかし、本願明細書に開示された発明はこれに限定されるものではない。
【００７６】
すなわち、例えば、外気口１４Ａが外気側端部１１Ａの直上に位置した構成、内気口１３Ａと外気口１４Ａとが対向していない構成、又は外気口１４Ａが外気側端部１１Ａに対して内気口１３Ａと反対側に位置した構成であってもよい。
【００７７】
さらに、本発明は、特許請求の範囲に記載された発明の趣旨に合致するものであればよく、上述の実施形態に限定されるものではない。したがって、上述した複数の実施形態のうち少なくとも２つの実施形態を組み合わせてもよい。
【符号の説明】
【００７８】
１… 空調機  １Ａ… 吹出口  １Ｂ… 吸気口  １０… 第１混気促進部材
１１… 第１仕切部材  １１Ａ… 外気側端部  １１Ｂ… 内気側端部
１２… 第２仕切部材  １３… 内気導入部  １３Ａ… 内気口
１４… 外気導入部  １４Ａ… 外気口  １５Ａ… 第１混気室
１５Ｂ… 第２混気室  １６Ａ… 第３仕切部材  ２０… 第２混気促進部材
２１… 内気案内部  ２２… 外気案内部
【図１】
2018155446.tif 000003
【図２】
2018155446.tif 000004
【図３】
2018155446.tif 000005
【図４】
2018155446.tif 000006
【図５】
2018155446.tif 000007
【図６】
2018155446.tif 000008
【図７】
2018155446.tif 000009